(57)【要約】【課題】電気集塵を長時間使用すると集塵部に汚れが付着するため、メンテナンスが困難という課題があり、電気集塵の集塵部の汚れを均等に付着させるとともに洗浄しやすくすることを目的としている。【解決手段】本体２の内部に電気集塵部５を備え、電気集塵部５は油に帯電を施す帯電部６及び油を集油する集塵部７を備え、帯電部６は固定され、集塵部７は回転可能に支持され、集塵部７を定期的に回転するものであり、電気集塵部５の集塵部７に付着する捕集した油を均一にすることができるため、使用者のメンテナンスがなくても長期間安定して使用することができるという作用を有する。【選択図】図２
2011110483.tif 000002
【特許請求の範囲】
【請求項１】
厨房の調理部の背面部に位置する本体を備え、前記本体の上部に調理時の油を捕集するための吸込口を備え、厨房の調理部の背面に排気口を備え、前記吸込口から排気口へ送風するための送風手段を備え、前記本体の内部に電気集塵部を備え、前記電気集塵部は油に帯電を施す帯電部及び帯電した油を付着して除去する集塵部を備え、前記帯電部は固定され、前記集塵部は回転可能に支持され、前記集塵部を回転駆動する駆動手段を備え、前記駆動手段により定期的に前記集塵部を回転する空気清浄装置。
【請求項２】
帯電部に洗浄液を噴霧する帯電部清掃手段と集塵部に洗浄液を噴霧する集塵部清掃手段を備えた請求項１記載の空気清浄装置。
【請求項３】
帯電部を乾燥する帯電部乾燥手段と集塵部を乾燥する集塵部乾燥手段を備えた請求項１または２いずれか１項に記載の空気清浄装置。
【請求項４】
帯電部を洗浄液と乾燥するための噴流を噴出することができる帯電部ノズルを備えた請求項１記載の空気清浄装置。
【請求項５】
集塵部を洗浄液と乾燥するための噴流を噴出することができる集塵部ノズルを備えた請求項１記載の空気清浄装置。
【請求項６】
帯電部ノズルを流体素子とした請求項４記載の空気清浄装置。
【請求項７】
集塵部ノズルを流体素子とした請求項５記載の空気清浄装置。
【請求項８】
集塵部を円形にした請求項１から７いずれか１項に記載の空気清浄装置。
【請求項９】
集塵部に突起を備え、集塵部ノズルの洗浄液の噴霧と噴流により集塵部を回転させる構成である請求項５または７に記載の空気清浄装置。
【請求項１０】
電気集塵部の下方に排水を回収する回収部を備えた請求項１から９いずれか１項に記載の空気清浄装置。
【請求項１１】
本体の外側に電気集塵部を着脱可能である請求項１から１０いずれか１項に記載の空気清浄装置。
【請求項１２】
電気集塵部を洗浄中は空気清浄運転を停止する請求項１から１１いずれか１項に記載の空気清浄装置。
【請求項１３】
空気清浄運転を停止する間は、洗浄中であることを示す洗浄通知手段を備えた請求項１から１２いずれか１項に記載の空気清浄装置。
【請求項１４】
電気集塵部が乾燥するまで電気集塵部に通電しない請求項１から１３いずれか１項に記載の空気清浄装置。
【請求項１５】
電気集塵部を通電しない間は、通電停止中であることを示す停止通知手段を備えた請求項１から１４いずれか１項に記載の空気清浄装置。
【請求項１６】
本体内部に消臭剤を備えた請求項１から１５いずれか１項に記載の空気清浄装置。
【発明の詳細な説明】
【技術分野】
【０００１】
厨房にて使用され、調理時に発生する油煙や臭いを除去するための空気清浄装置に関するものである。
【背景技術】
【０００２】
従来、この種の空気清浄装置は、燃焼を伴わない電気加熱器具では人体に有害な二酸化炭素が発生しないため、油煙、水分、調理臭等の汚染空気を処理できれば必ずしも室外への排気は必要なくなるため、電気集塵などの油煙除去装置を使用するものが知られている（例えば、特許文献１参照）。
【０００３】
以下、その空気清浄装置について、図５を参照しながら説明する。
【０００４】
図５に示すように、電気加熱器具１０１の奥側に設けられ、電気加熱器具１０１による調理で発生した汚染空気を吸い込むための吸込み口１０２と、吸込み口１０２に連通してキャビネット内に設置され、吸込み口１０２から汚染空気を取り込む送風機１０３と、吸込み口１０２に配置される油煙除去装置１０４、キャビネット内に設置される水分除去装置１０５及び脱臭装置１０６を備え、吸込み口１０２から取り込んだ汚染空気をキャビネットの外に吹き出し口１０７から排出させる空気清浄装置であった。
【先行技術文献】
【特許文献】
【０００５】
【特許文献１】特開２００５−２８３０６０号公報
【発明の概要】
【発明が解決しようとする課題】
【０００６】
このような従来の空気清浄装置では、油煙除去を長時間実施すると油煙除去箇所に汚れが付着するため、メンテナンスが頻度が増加するという課題があり、油煙を確実に除去しながらもメンテナンスを軽減することが要求されている。本発明は、このような従来の課題を解決するものであり、油煙除去手段である電気集塵の集塵部で油煙を確実に捕集しながら。集塵部の汚れを均等に付着させることでメンテナンスの頻度が少なくなり、洗浄しやすい構成とすることができる空気清浄装置を提供することを目的としている。
【課題を解決するための手段】
【０００７】
本発明の空気清浄装置は、上記目標を達成するために、厨房の調理部の背面部に位置する本体を備え、前記本体の上部に調理時の油を捕集するための吸込口を備え、厨房の調理部の背面に排気口を備え、前記吸込口から排気口へ送風するための送風手段を備え、前記本体の内部に電気集塵部を備え、前記電気集塵部は油に帯電を施す帯電部及び油を集油する集塵部を備え、前記帯電部は固定され、前記集塵部は回転可能に支持され、前記集塵部を回転駆動する駆動手段を備え、前記駆動手段により定期的に前記集塵部を回転するものである。
【０００８】
この手段により電気集塵の集塵部の汚れを均等に付着させるとともに洗浄しやすい構成とすることができる空気清浄装置が得られる。
【発明の効果】
【０００９】
本発明によれば部屋の空気を清潔に保つことができ、フィルターを定期的に洗浄する手間が不要であるという効果のある空気清浄装置を提供できる。
【図面の簡単な説明】
【００１０】
【図１】本発明の実施の形態１の空気清浄装置外観を示す斜視図
【図２】同側断面を示す構成図
【図３】同背面断面を示す構成図
【図４】本発明の実施の形態２の空気清浄装置を示す側断面を示す構成図
【図５】従来の空気清浄装置を示す正面断面を示す構成図
【発明を実施するための形態】
【００１１】
本発明の請求項１記載の発明は、厨房の調理部の背面部に位置する本体を備え、前記本体の上部に調理時の油を捕集するための吸込口を備え、厨房の調理部の背面に排気口を備え、前記吸込口から排気口へ送風するための送風手段を備え、前記本体の内部に電気集塵部を備え、前記電気集塵部は油に帯電を施す帯電部及び油を集油する集塵部を備え、前記帯電部は固定され、前記集塵部は回転可能に支持され、前記集塵部を回転駆動する駆動手段を備え、前記駆動手段により定期的に前記集塵部を回転するものであり、電気集塵部の集塵部に付着する捕集した油を集塵部を回転することで均一にすることができるため、使用者のメンテナンスがなくても長期間安定して使用することができるという作用を有する。
【００１２】
また、本発明の請求項２記載の発明は、帯電部に洗浄液を噴霧する帯電部清掃手段と集塵部に洗浄液を噴霧する集塵部清掃手段を備えたものであり、帯電部および集塵部を定期的に洗浄することで、使用者が直接メンテナンスする必要がなく、帯電部および集塵部の性能を長期間維持するという作用を有する。
【００１３】
また、本発明の請求項３記載の発明は、帯電部を乾燥する帯電部乾燥手段と集塵部を乾燥する集塵部乾燥手段を備えたものであり、帯電部および集塵部に付着した洗浄液を短時間で除去できるため、洗浄のために装置を停止する時間を短縮するという作用を有する。
【００１４】
また、本発明の請求項４記載の発明は、帯電部を洗浄液と乾燥するための噴流を噴出することができる帯電部ノズルを備えたものであり、洗浄と乾燥を一つのデバイスで実現できるという作用を有する。
【００１５】
また、本発明の請求項５記載の発明は、集塵部を洗浄液と乾燥するための噴流を噴出することができる集塵部ノズルを備えたものであり、洗浄と乾燥を一つのデバイスで実現できるという作用を有する。
【００１６】
また、本発明の請求項６記載の発明は、帯電部ノズルを流体素子としたものであり、流体素子とすることで帯電部を広範囲にすばやく洗浄および乾燥することができるという作用を有する。
【００１７】
また、本発明の請求項７記載の発明は、集塵部ノズルを流体素子としたものであり、流体素子とすることで集塵部を広範囲にすばやく洗浄および乾燥することができるという作用を有する。
【００１８】
また、本発明の請求項８記載の発明は、集塵部を円筒形にしたものであり、集塵部を円筒形にすることで洗浄する場合に集塵部ノズルからの距離を近接することができ、洗浄効果を高めることができるという作用を有する。
【００１９】
また、本発明の請求項９記載の発明は、集塵部に突起を備え、集塵部ノズルの洗浄液の噴霧と噴流により集塵部を回転させる構成であるものであり、集塵部ノズルから噴出される洗浄液および噴流の力により集塵部を回転させることで駆動手段を使用せず節電ができるという作用を有する。
【００２０】
また、本発明の請求項１０記載の発明は、電気集塵部の下方に排水を回収する回収部を備えたものであり、排水を回収することで下水への油と洗浄液の混合した液体を直接排水しないという作用を有する。
【００２１】
また、本発明の請求項１１記載の発明は、本体の外側に電気集塵部を着脱可能であるものであり、電気集塵部を着脱可能にすることで、部品交換を用意にすることができるという作用を有する。
【００２２】
また、本発明の請求項１２記載の発明は、電気集塵部を洗浄中は空気清浄運転を停止するものであり、電気集塵部を洗浄している間は、空気清浄機として作動しないようにすることで、故障を未然に防ぐことができるという作用を有する。
【００２３】
また、本発明の請求項１３記載の発明は、空気清浄運転を停止する間は、洗浄中であることを示す洗浄通知手段を備えたものであり、使用者が誤って使用しないように洗浄通知手段で確認することができるという作用を有する。
【００２４】
また、本発明の請求項１４記載の発明は、電気集塵部が乾燥するまで電気集塵部に通電しないものであり、電気集塵部を洗浄後に乾燥している間は、空気清浄機として作動しないようにすることで、故障を未然に防ぐことができるという作用を有する。
【００２５】
また、本発明の請求項１５記載の発明は、電気集塵部を通電しない間は、通電停止中であることを示す停止通知手段を備えたものであり、使用者が誤って使用しないように停止通知手段で確認することができるという作用を有する。
【００２６】
また、本発明の請求項１６記載の発明は、本体内部に消臭剤を備えたものであり、消臭剤によって電気集塵だけでは取れない臭いを除去できるという作用を有する。
【００２７】
以下、本発明の実施の形態について図面を参照しながら説明する。
【００２８】
（実施の形態１）
まず、本発明の実施の形態１の構成について説明する。
【００２９】
図１に示すように、厨房の調理部の一例であるクッキングヒータ１が調理台に備えられており、クッキングヒータ１の背面部に本体２を備え、本体２の上部にクッキングヒータ１で調理された油煙などを吸込むための吸込口３を備えている。また、図２に示すように、クッキングヒータ１の背面側で本体２の下部に排気口４を備えている。
【００３０】
図２に示すように、本体２の内部には吸込口３の下流側に電気集塵部５の構成要素である帯電部６と集塵部７を備え、必ず帯電部６が集塵部７よりも上流側に位置するように配置されている。次に、電気集塵部５の近傍に帯電部６を清掃するための帯電部清掃手段８と帯電部乾燥手段９が併設されている。また、集塵部７を清掃するために集塵部清掃手段１０と集塵部乾燥手段１１が併設されている。帯電部６と集塵部７を帯電部清掃手段８および集塵部清掃手段１０で洗浄したあとの洗浄液の排水は、捕集した油が含まれるため、回収部の一例であるドレン板１２によって回収する。電気集塵部５の下流側には消臭剤１３と送風手段の一例であるシロッコファン１４が設置され、排気口４から清浄空気を排出する構成である。
【００３１】
図３に示すように、集塵部７には駆動軸１５が両側に備わっており、片側の駆動軸１５は駆動手段の一例である駆動モータ１６に連接されている。
【００３２】
次に、実施の形態１の動作を示す。
【００３３】
図１に示すように、クッキングヒータ１に電源を投入して、クッキングヒータ１の上にある調理器具（図示せず）を加熱すると、調理に使用される調理油（図示せず）が油煙となり、その油煙の温度が高いため上昇気流に乗り、部屋を充満するため、本体２の電源が投入され、本体２の内部に備えられたシロッコファン１４が作動すると、吸込口３から急速に部屋の空気を吸込み、油煙が誘引されて吸込口３に吸込まれる。
【００３４】
図２に示すように、吸込まれた油煙は、帯電部６によって帯電されて下流側に流れ、帯電された油煙は集塵部７によって捕集される。一例として９９％ほど油が除去された空気は、わずかな油と臭いの成分を含んだものであるため、消臭剤１３によって残りの油と臭い成分が捕集される。消臭剤１３は材料の一例として活性炭でできているものであり、油の付着状況や臭い成分の捕集状況により定期的に交換されるものである。
【００３５】
臭いも除去された空気は、清浄な空気として排気口４から部屋に戻される。
【００３６】
図３に示すように、捕集する油は、集塵部７の上流側に多く付着するため、一定期間で集塵部７を駆動モータ１６で駆動することで回転でき、集塵部７の全体に均一に油を捕集させるものである。
【００３７】
図２に示すように、帯電部６にはわずかに油や汚れが付着して、集塵部７には大半の油と汚れが付着するため、一定期間、電気集塵部５を運転した後に、電気集塵部５の通電を停止して、帯電部清掃手段８（一例として噴射ノズル）および集塵部清掃手段１０（一例として噴射ノズル）から洗浄液（一例として水）を噴出して、電気集塵部５の帯電部６と集塵部７を洗浄する。
【００３８】
このとき、図１に示すように、洗浄通知手段１７（一例としてＬＥＤランプ）を点灯させて、使用者に知らせることができる。
【００３９】
また、図２に示すように、帯電部６と集塵部７を洗浄した後に、帯電部乾燥手段９と集塵部乾燥手段１１（一例としてヒータ）により、帯電部６と集塵部７をすばやく乾燥させる。
【００４０】
このとき、図１に示すように、停止通知手段１８（一例としてＬＥＤランプ）を点灯させて、使用者に知らせることができる。
【００４１】
図２に示すように、電気集塵部５は定期的に本体２の背面側から取り出すことができる。
【００４２】
（実施の形態２）
本発明の実施の形態２は、実施の形態１と同一部分については同一番号を付し、詳細な説明は省略する。
【００４３】
まず、本発明の実施の形態２の構成を示す。
【００４４】
図４に示すように、帯電部６を洗浄液で清掃でき、かつ噴流を噴出することができる帯電部ノズル１９を備え、集塵部７を洗浄液で清掃でき、かつ噴流を噴出することができる集塵部ノズル２０を備えている。
【００４５】
次に、本発明の実施の形態２の動作を示す。
【００４６】
図４に示すように、帯電部６および集塵部７が汚れた場合に、帯電部ノズル１９および集塵部ノズル２０により洗浄液を噴射して洗浄して、更に噴流を噴出することで付着した水分を除去して乾燥させることができる。
【００４７】
このように、実施の形態１で説明した清掃手段と乾燥手段を一つの部品で構成できるので、簡単な構成で、装置自体の小型化も可能となる。
【００４８】
ここで、帯電部ノズル１９および集塵部ノズル２０を流体の付着作用を利用した流体素子の構成とすることで自励発振をさせることができ、帯電部６および集塵部７をすばやく清掃することができる。
【００４９】
図３に示すように、捕集する油は、集塵部７に付着するため、集塵部７を駆動モータ１６で駆動することで回転できるため、集塵部ノズル２０にて洗浄液で洗浄する場合に、集塵部７の全体を満遍なく清掃することができる。
【００５０】
更に集塵部７に突起部（図示せず）を設けることで、洗浄液の噴射する勢いで回転することで、駆動モータ１６を駆動しなくても、同様の効果を電力を使わず省エネで持たすことができる。
【産業上の利用可能性】
【００５１】
調理器具を使用する厨房で、調理によって発生する油煙の除去や臭いを除去する排気装置と連動する用途にも適用できる。
【符号の説明】
【００５２】
１    クッキングヒータ
２    本体
３    吸込口
４    排気口
５    電気集塵部
６    帯電部
７    集塵部
８    帯電部清掃手段
９    帯電部乾燥手段
１０  集塵部清掃手段
１１  集塵部乾燥手段
１２  ドレン板
１３  消臭剤
１４  シロッコファン
１５  駆動軸
１６  駆動モータ
１７  洗浄通知手段
１８  停止通知手段
１９  帯電部ノズル
２０  集塵部ノズル
【図１】
2011110483.tif 000003
【図２】
2011110483.tif 000004
【図３】
2011110483.tif 000005
【図４】
2011110483.tif 000006
【図５】
2011110483.tif 000007